(57)【特許請求の範囲】
【請求項１】
レリーフ模様が形成された基材表面上に、カラー画像の色要素となる複数の色の印刷万線が形成されている構成により、上記基材表面を斜めから観察した場合にだけ視認可能なカラー潜像が付与されて成る偽造防止用潜像模様形成体であって、
上記レリーフ模様は、上記基材と同色の断面が隆起した多数のレリーフ万線から構成されており、上記レリーフ万線の夫々は、長手方向に伸びる基線部、及び該基線部から長手方向に対して側方に突出した１以上の凸部を有しており、上記凸部は、両側部と頂辺部とから成り、
上記印刷万線は、上記複数の色の印刷万線の群が多数集合して成り、上記凸部の両側部を越えて上記レリーフ万線に沿って伸びるように構成されていることを特徴とする偽造防止用潜像模様形成体。
【請求項２】
上記複数の色の印刷万線は、イエロー、マゼンタ及びシアンの三色であることを特徴とする請求項１記載の偽造防止用潜像模様形成体。
【請求項３】
上記レリーフ万線は、長手方向に対する側方への幅が異なる上記凸部を有することを特徴とする請求項１又は２記載の偽造防止用潜像模様形成体。
【請求項４】
レリーフ模様が形成された基材表面上に、単色の印刷万線が形成されている構成により、上記基材表面を斜めから観察した場合にだけ視認可能な単色で多数の濃淡階調を有する潜像が付与されて成る偽造防止用潜像模様形成体であって、
上記レリーフ模様は、上記基材と同色の断面が隆起した多数のレリーフ万線から構成されており、上記レリーフ万線の夫々は、長手方向に伸びる基線部、及び該基線部から長手方向に対して側方に突出した１以上の凸部を有しており、上記凸部は、両側部と頂辺部とから成り、原画像の該濃淡階調に応じて長手方向に対する側方への幅が異なり、
上記印刷万線は、多数の印刷万線から成り、上記凸部の両側部を越えて上記レリーフ万線に沿って伸びるように構成されていることを特徴とする偽造防止用潜像模様形成体。
【請求項５】
上記レリーフ万線は、凹版印刷、エンボス又はすき入れにより形成されたものであることを特徴とする請求項１、２、３又は４記載の偽造防止用潜像模様形成体。
【請求項６】
基材表面にレリーフ模様及びカラー画像の色要素となる複数の色の印刷万線を形成することにより、上記基材表面を斜めから観察した場合にだけ視認可能なカラー潜像を付与する偽造防止用潜像模様形成体の作製方法であって、
上記潜像の原画となるカラー原画像を上記複数の色要素に分解して各色要素毎に濃淡の階調を有する色分解画像を形成する工程と、
断面が隆起し、長手方向に伸びる基線部と該基線部から長手方向に対して側方に突出した１以上の凸部を有する上記基材と同色の多数のレリーフ万線から成る上記レリーフ模様を上記基材上に形成する工程と、上記レリーフ模様を形成した基材上に、上記多数のレリーフ万線に沿って上記複数の色から成る印刷万線の群を、上記レリーフ万線の上記凸部の両側部を越えて上記レリーフ万線に沿って伸びるように多数印刷する工程とを含むことを特徴とする偽造防止用潜像模様形成体の作製方法。
【請求項７】
基材表面にレリーフ模様及びカラー画像の色要素となる複数の色の印刷万線を形成することにより、上記基材表面を斜めから観察した場合にだけ視認可能なカラー潜像を付与する偽造防止用潜像模様形成体の作製方法であって、
上記潜像の原画となるカラー原画像を上記複数の色要素に分解して各色要素毎に濃淡の階調を有する色分解画像を形成する工程と、
上記基材上に、上記複数の色から成る印刷万線の群を多数印刷する工程と、
断面が隆起し、長手方向に伸びる基線部と該基線部から長手方向に対して側方に突出した１以上の凸部を有する上記基材と同色の多数のレリーフ万線から成る上記レリーフ模様を上記印刷万線に沿って、かつ、上記レリーフ万線の凸部の両側部が上記印刷万線を越えて上記基材上に形成する工程と、を含むことを特徴とする偽造防止用潜像模様形成体の作製方法。
【請求項８】
上記複数の色の印刷万線は、イエロー、マゼンタ及びシアンの三色であることを特徴とする請求項６又は７記載の偽造防止用潜像模様形成体の作製方法。
【請求項９】
上記レリーフ万線は、上記色分解画像の濃淡の階調に応じて長手方向に対する側方への幅が異なる上記凸部を有することを特徴とする請求項６、７又は８記載の偽造防止用潜像模様形成体の作製方法。
【請求項１０】
基材表面にレリーフ模様及び多数の印刷万線を形成することにより、上記基材表面を斜めから観察した場合にだけ視認可能な単色で多数の濃淡階調を有する潜像が付与されて成る偽造防止用潜像模様形成体の作製方法であって、
断面が隆起し、長手方向に伸びる基線部と該基線部から長手方向に対して側方に突出した凸部であって、原画像の該濃淡階調に応じて長手方向に対する側方への幅が異なる複数の凸部を有する上記基材と同色の多数のレリーフ万線から成る上記レリーフ模様を上記基材上に形成する工程と、上記レリーフ模様を形成した基材上に、上記多数のレリーフ万線に沿って上記単色の印刷万線を、上記レリーフ万線の上記凸部の両側部を越えて上記レリーフ万線に沿って伸びるように多数印刷する工程とを含むことを特徴とする偽造防止用潜像模様形成体の作製方法。
【請求項１１】
基材表面にレリーフ模様及び多数の印刷万線を形成することにより、上記基材表面を斜めから観察した場合にだけ視認可能な単色で多数の濃淡階調を有する潜像が付与されて成る偽造防止用潜像模様形成体の作製方法であって、
上記基材上に、上記単色の印刷万線を多数印刷する工程と、
断面が隆起し、長手方向に伸びる基線部と該基線部から長手方向に対して側方に突出した凸部であって、原画像の該濃淡階調に応じて長手方向に対する側方への幅が異なる複数の凸部を有する上記基材と同色の多数のレリーフ万線から成る上記レリーフ模様を上記印刷万線に沿って、かつ、上記レリーフ万線の凸部の両側部が上記印刷万線を越えて上記基材上に形成する工程と、を含むことを特徴とする偽造防止用潜像模様形成体の作製方法。
【請求項１２】
上記レリーフ万線は、凹版印刷、エンボス、又はすき入れにより形成することを特徴とする請求項６、７、８、９、１０又は１１記載の偽造防止用潜像模様形成体の作製方法。
【発明の詳細な説明】
【０００１】
【発明の属する技術分野】
本発明は、銀行券、有価証券、パスポート、身分証明書、カード、印紙類、証明書、入場券等の偽造防止及び改竄防止が要求される貴重印刷物等に適用される、カラー又は単色の濃淡階調潜像を有する偽造防止用潜像模様形成体及びその作製方法に関する。
【０００２】
【従来の技術】
銀行券、有価証券、パスポート、身分証明書、カード、印紙類、証明書、入場券等の貴重印刷物は、その性質上、偽造や改竄されにくいことが要求される。この防止策として、微細な画線構成等を付与してその有無により真偽判別を行う等の技術が公知である。
【０００３】
しかしながら、微細な画線構成等はカラー複写機によってほぼ再現できることから、容易に真偽判別ができなくなってきている。特に、最近の電子カラー複写機、スキャナー等の精度向上及びその普及により、上記貴重印刷物が容易に複製され偽造される危険性がある。
【０００４】
このような技術的背景において、本件出願人は、基材上に凹凸形状を有するレリーフ模様を形成し、その上に単色で万線模様を印刷することにより潜像を付与し、基材を角度を変えて観察することにより潜像を認識できるようにして真偽判別に供することを要旨とする発明をすでに提案している（特許２６０００９４号公報、特許２６１５４０１号公報参照）。
【０００５】
【発明が解決しようとする課題】
しかしながら、上記基材上に形成されたレリーフ模様の上に単色で万線模様を印刷して潜像を付与したものは、あくまでも万線模様が単色で、基材の色と万線模様の単色とのコントラストにより発現する潜像を確認するものであり、目視で一見して潜像の確認をできるようにさらに改良の余地があった。
【０００６】
そこで本発明における第１の課題は、正面から観察しても認識できないが、斜めから観察すると認識できるカラーでしかも濃淡の階調を有するカラー潜像の実現を目的とし、単色の潜像に比べて色合い、濃淡階調等の要素が加わることにより偽造防止機能を高め、しかもその真偽は単色に比べて明確、簡単に判別できるカラー潜像を有する偽造防止用潜像模様形成体を実現することである。
【０００７】
特に、カラー画像の色要素となる複数の色（例えば、イエロー、マゼンタ、シアンの三色）夫々のカラー印刷万線と関連づけて、基材と同色のレリーフ模様の形状及び配置を決める構成とすることにより、潜像の微妙な色合いや濃淡階調がでるように形成して、偽造、改竄のきわめて困難なカラー潜像を実現することを課題としている。
【０００８】
次に本発明における第２の課題は、潜像をカラーとせずに単色であっても、従来のように、単に基材の色と万線模様の単色とのコントラストにより発現する潜像でなく、単色の潜像ながらも多数の濃淡階調を積極的に付与して、原画像により近い濃淡状態で潜像を確認できるようにする多数の濃淡階調を有する潜像を実現することである。
【０００９】
【課題を解決するための手段】
本発明は、上記課題を解決するために、レリーフ模様が形成された基材表面上に、カラー画像の色要素となる複数の色の印刷万線が形成されている構成により、上記基材表面を斜めから観察した場合にだけ視認可能なカラー潜像が付与されて成る偽造防止用潜像模様形成体であって、上記レリーフ模様は、上記基材と同色の断面が隆起した多数のレリーフ万線から構成されており、上記レリーフ万線の夫々は、長手方向に伸びる基線部、及び該基線部から長手方向に対して側方に突出した１以上の凸部を有しており、上記凸部は、両側部と頂辺部とから成り、上記印刷万線は、上記複数の色の印刷万線の群が多数集合して成り、上記凸部の両側部を越えて上記レリーフ万線に沿って伸びるように構成されていることを特徴とする偽造防止用潜像模様形成体を提供する。上記レリーフ万線は、長手方向に対する側方への幅が異なる上記凸部を有する構成としてもよい。
【００１０】
本発明は、上記課題を解決するために、レリーフ模様が形成された基材表面上に、単色の印刷万線が形成されている構成により、上記基材表面を斜めから観察した場合にだけ視認可能な単色で多数の濃淡階調を有する潜像が付与されて成る偽造防止用潜像模様形成体であって、上記レリーフ模様は、上記基材と同色の断面が隆起した多数のレリーフ万線から構成されており、上記レリーフ万線の夫々は、長手方向に伸びる基線部、及び該基線部から長手方向に対して側方に突出した１以上の凸部を有しており、上記凸部は、両側部と頂辺部とから成り、原画像の該濃淡階調に応じて長手方向に対する側方への幅が異なり、上記印刷万線は、多数の印刷万線から成り、上記凸部の両側部を越えて上記レリーフ万線に沿って伸びるように構成されていることを特徴とする偽造防止用潜像模様形成体を提供する。
【００１１】
本発明は、上記課題を解決するために、基材表面にレリーフ模様及びカラー画像の色要素となる複数の色の印刷万線を形成することにより、上記基材表面を斜めから観察した場合にだけ視認可能なカラー潜像を付与する偽造防止用潜像模様形成体の作製方法であって、上記潜像の原画となるカラー原画像を上記複数の色要素に分解して各色要素毎に濃淡の階調を有する色分解画像を形成する工程と、断面が隆起し、長手方向に伸びる基線部と該基線部から長手方向に対して側方に突出した１以上の凸部を有する上記基材と同色の多数のレリーフ万線から成る上記レリーフ模様を上記基材上に形成する工程と、上記レリーフ模様を形成した基材上に、上記多数のレリーフ万線に沿って上記複数の色から成る印刷万線の群を多数印刷する工程とを含むことを特徴とする偽造防止用潜像模様形成体の作製方法を提供する。上記レリーフ万線は、上記色分解画像の濃淡の階調に応じて長手方向に対する側方への幅が異なる上記凸部を有する構成としてもよい。
【００１２】
本発明は、上記課題を解決するために、基材表面にレリーフ模様及びカラー画像の色要素となる複数の色の印刷万線を形成することにより、上記基材表面を斜めから観察した場合にだけ視認可能なカラー潜像を付与する偽造防止用潜像模様形成体の作製方法であって、上記潜像の原画となるカラー原画像を上記複数の色要素に分解して各色要素毎に濃淡の階調を有する色分解画像を形成する工程と、上記基材上に、上記複数の色から成る印刷万線の群を多数印刷する工程と、断面が隆起し、長手方向に伸びる基線部と該基線部から長手方向に対して側方に突出した１以上の凸部を有する上記基材と同色の多数のレリーフ万線から成る上記レリーフ模様を上記印刷万線に沿って上記基材上に形成する工程と、を含むことを特徴とする偽造防止用潜像模様形成体の作製方法を提供する。上記レリーフ万線は、上記色分解画像の濃淡の階調に応じて長手方向に対する側方への幅が異なる上記凸部を有する構成としてもよい。
【００１３】
本発明は、上記課題を解決するために、基材表面にレリーフ模様及び多数の印刷万線を形成することにより、上記基材表面を斜めから観察した場合にだけ視認可能な単色で多数の濃淡階調を有する潜像が付与されて成る偽造防止用潜像模様形成体の作製方法であって、断面が隆起し、長手方向に伸びる基線部と該基線部から長手方向に対して側方に突出した凸部であって、原画像の該濃淡階調に応じて長手方向に対する側方への幅が異なる複数の凸部を有する上記基材と同色の多数のレリーフ万線から成る上記レリーフ模様を上記基材上に形成する工程と、上記レリーフ模様を形成した基材上に、上記多数のレリーフ万線に沿って上記単色の印刷万線を多数印刷する工程とを含むことを特徴とする偽造防止用潜像模様形成体の作製方法を提供する。
【００１４】
本発明は、上記課題を解決するために、基材表面にレリーフ模様及び多数の印刷万線を形成することにより、上記基材表面を斜めから観察した場合にだけ視認可能な単色で多数の濃淡階調を有する潜像が付与されて成る偽造防止用潜像模様形成体の作製方法であって、上記基材上に、上記単色の印刷万線を多数印刷する工程と、断面が隆起し、長手方向に伸びる基線部と該基線部から長手方向に対して側方に突出した凸部であって、原画像の該濃淡階調に応じて長手方向に対する側方への幅が異なる複数の凸部を有する上記基材と同色の多数のレリーフ万線から成る上記レリーフ模様を上記印刷万線に沿って上記基材上に形成する工程とを含むことを特徴とする偽造防止用潜像模様形成体の作製方法を提供する。
【００１５】
上記色インキは、例えば、イエロー、マゼンタ及びシアンの三色である。
【００１６】
上記基材と同色のレリーフ万線は、例えば、凹版印刷、エンボス、又はすき入れにより形成する。
【００１７】
【発明の実施の形態】
本発明に係る偽造防止用潜像模様形成体の実施の形態を実施例に基づいて図面を参照して以下説明する。本発明の偽造防止用潜像模様形成体は、例えば、証券、パスポート、身分証明書等の貴重印刷物であり、基材上に基材と同色のレリーフ模様が形成され、このレリーフ模様上にカラー画像の色要素となる複数の色、例えば三色の印刷万線群を多数印刷することによりカラー潜像を形成して成る構成である。基材は、紙、樹脂、繊維等から形成されたものである。詳細は後述するが、例えば、図６（ａ）に示すように、本発明の偽造防止用潜像模様形成体１は、正面から観察すると、何ら模様や文字等は視認できないが、斜め（図中下方）から観察すると、図６（ｂ）に示すようにカラー原画像と同様の色調を有するカラーの模様及び文字が視認できるものである。
【００１８】
（実施例１）
図１は、本発明係る偽造防止用潜像模様形成体の基本的な構成を実施例１として説明する図であり、図１（ｂ）は、偽造防止用潜像模様形成体１の要部を示す平面図であり、そのＡ−Ａ断面を図１（ａ）で示す。レリーフ模様は、基材２上に、エンボス、凹版印刷、すき入れ等により、連続して隆起し、一定のピッチｐで平行に形成された基材と同色の複数のレリーフ万線から構成される。
【００１９】
図１（ｂ）において、基材２上に、カラー画像の色要素となる複数の色である三色のイエロー（Ｙ）、マゼンタ（Ｍ）、シアン（Ｃ）に夫々対応したレリーフ万線ＹＬ、ＭＬ、ＣＬが形成されている。レリーフ万線の夫々は、一方向（例えば図中矢印Ｘ方向）に伸びる基線部と、この基線部から長手方向（上記一方向）に対して右側方（図中上方）へ直角に突出した複数の凸部とから構成されている。
【００２０】
これを具体的に三本のレリーフ万線ＹＬ、ＭＬ、ＣＬについて長手方向の一部の区間についてみると、レリーフ万線ＹＬは、基線部３を有し、異なる長さの凸部４、５が形成されている。レリーフ万線ＭＬは、基線部６を有し、凸部７が形成されている。レリーフ万線ＣＬは、基線部８を有し、異なる長さの凸部９、１０が形成されている。レリーフ万線のピッチｐ（互いに隣接する基線部の間隔）は、所望の印刷や潜像の精度等を考慮して適宜設定されるものであるが、例えば、２５０μｍである。このようなレリーフ万線が多数本基材上に形成されてレリーフ模様が構成されている。
【００２１】
このようにレリーフ万線の形成された基材２上に、Ｙ（イエロー）、Ｍ（マゼンダ）、Ｃ（シアン）の三色の印刷万線ＹＰ、ＭＰ、ＣＰが印刷がされている。印刷万線ＹＰ、ＭＰ、ＣＰは、夫々基線３、６、８のＸ方向に向かって右側方（図１（ｂ）中上方）に沿って基線３、６、８と平行に伸びている。印刷万線ＹＰは、二つの凸部４、５の両側部４’、５’を越えて伸びている。印刷万線ＭＰは、凸部７の両側部７’を越えて伸びている。印刷万線ＣＰは、凸部９、１０の両側部９、’１０’を越えて伸びている。このような三色の印刷万線ＹＰ、ＭＰ、ＣＰから成る万線群が多数基材１上に形成されている。
【００２２】
以上の構成から成る偽造防止用潜像模様形成体の実施例１の作用について以下説明する。偽造防止用潜像模様形成体１をその印刷面の正面から（印刷面に対してほぼ垂直の上方から）観察すると、三色の印刷万線ＹＰ、ＭＰ、ＣＰが、その直線に沿って部分的に欠けて見えるようなことなく全部、即ち図１（ｂ）に示されているとおりに観察される。
【００２３】
そして、図１（ａ）に示すように、偽造防止用潜像模様形成体１をその印刷面に対して左側斜め上方（図１（ｂ）中では下方）から観察すると次のようになる。印刷万線ＹＰについてみると、矢印Ｘ方向に向かってレリーフ万線ＹＬの基線部３より右側に位置する印刷万線ＹＰの部分１１、１２、１３は、レリーフ万線ＹＬの基線部３の陰となって見えないが、レリーフ万線ＹＬの凸部４、５の頂辺部より左側に位置する印刷万線ＹＰの部分１４、１５は基線部３の陰となることなく見える。
【００２４】
印刷万線ＭＰについてみると、レリーフ万線ＭＬの基線部６よりＸ方向に向かって右側に位置する印刷万線ＭＰの部分１６、１７は、レリーフ万線ＭＬの基線部６の陰となって見えないが、レリーフ万線ＭＬの凸部７の頂辺部より左側に位置する印刷万線ＭＰの部分１８は基線部６の陰となることなく見える。
【００２５】
印刷万線ＣＰについてみると、レリーフ万線ＣＬの基線部８よりＸ方向に向かって右側に位置する印刷万線ＣＰの部分１９、２０は、レリーフ万線ＣＬの基線部８の陰となって見えないが、レリーフ万線ＣＬの凸部９、１０の頂辺部より左側に位置する印刷万線ＣＰの部分２１、２２は基線部８の陰となることなく見える。
【００２６】
これにより、Ｘ方向に向かい左側斜め上方から観察すると、三色の印刷万線ＹＰ、ＭＰ、ＣＰは、図１（ｃ）に示すように部分的に欠けて見えることとなる。但し、拡大鏡で観察すると、図１（ｃ）のように見えるが、目視で観察すると三色の印刷万線の互いの間隔ピッチｄが小さいために三色の印刷万線ＹＰ、ＭＰ、ＣＰの色は、図１（ｄ）に示すカラー画像帯２３のように混色して視認できる。従って、偽造防止用潜像模様形成体１は、その印刷面に対して正面から観察した画像と、左側斜め上方から観察した画像とでは、カラー画像が異なって見えることとなる。
【００２７】
図１（ｄ）は、三本のレリーフ万線ＹＬ、ＭＬ、ＣＬと、印刷万線ＹＰ、ＭＰ、ＣＰとにより形成される要部のカラー画像にすぎないが、他のレリーフ万線ＹＬ、ＭＬ、ＣＬについても、同様の原理に基づいて、夫々の凸部の位置、長さ等を適宜設計することにより、斜め方向から観察するとはじめて視認可能な特定のカラー模様の潜像を形成することができる。このような潜像の有無により、真偽の判別が可能となる。
【００２８】
（実施例２）
図２は、本発明に係る偽造防止用潜像模様形成体１の実施例２を説明する図であり、図２（ｃ）は、偽造防止用潜像模様形成体１の要部平面図であり、図２（ａ）及び（ｂ）は、図２（ｃ）のＢ−Ｂ及びＣ−Ｃ断面図である。ところで、実施例１の偽造防止用潜像模様形成体１では、図１（ｂ）でも示されているように、三色の印刷万線ＹＰ、ＭＰ、ＣＰの夫々の横幅ｗは、凸部（例えば凸部４）の頂辺部２４を越えない程度の寸法である。しかし、この実施例２では、例えば、図２（ａ）、（ｃ）において、印刷万線ＹＰについてみると、印刷万線ＹＰの横幅ｗ’を大きくして凸部２５の頂辺部２６から側方にはみ出るように印刷されている。
【００２９】
さらに、この実施例２では、レリーフ万線ＹＬに形成された異なる凸部２５及び凸部２７の幅（長手方向に対する側方への幅）を夫々ｔ、ｔ’（ｔ＜ｔ’）のように変えて形成されている。このような構成とすると、左側斜めから観察した場合に、印刷万線ＹＰのうち凸部２５より手前の視認可能な領域２８は、凸部２７より手前の視認可能な領域２９より幅が狭いので、領域２８では領域２９に比べてＹ色はより少なく、薄い色で視認される。その結果、図２（ｄ）に示されるように、ＹＰは、色が欠けて見える領域２８’を有するとともに、色の見える領域２８、２９も濃淡の階調をもって視認される。これは、他の二色Ｍ、Ｃについても同じで、レリーフ万線の凸部の幅の大きさに応じてその濃淡が視認される。要するに、三色の各色に対応するレリーフ万線の凸部の幅は、その色の視認濃度を変化させることができる。これにより、三色夫々が濃淡の階調を有し、それらが互いに混色して、偽造防止用潜像模様形成体を斜めから観察すると、よりきめ細かな色調を有するカラー潜像が視認可能となる。
【００３０】
（実施例３）
次に、本発明に係る偽造防止用潜像模様形成体１の作製方法を、その工程の概要を示す図３に沿って説明する。ここでは、基材と同色のレリーフ万線を凹版印刷により形成するものとする。
【００３１】
（１）カラー原画像の色分解工程
本発明に係る偽造防止用潜像模様形成体１の作製に際しては、まず、斜め方向から観察したときに認識できるカラー画像の元となる図４に示すようなカラー原画像を、通常のカラー印刷、写真等により作成する。このカラー原画像を構成する色をみると、左からシアン、グリーン、イエロー、レッド、マゼンタ、ブルーを有し、さらに文字がブラック、背景がホワイトである。
【００３２】
このカラー原画像を、Ｙ（イエロー）、Ｍ（マゼンタ）、Ｃ（シアン）の三色の夫々について、周知の色分解技術により色分解する。これにより、カラー原画像の模様及びその色調に応じた濃度分布を有するＹ色分解画像、Ｍ色分解画像、Ｃ色分解画像を得る。例えば、Ｍ色についてみると、図５（ａ）に示すような濃度分布を有するＭ色分解画像３１が得られる。
【００３３】
（２）レリーフ万線用凹版の作製及び凹版印刷工程
次に、Ｙ色分解画像、Ｍ色分解画像、Ｃ色分解画像について、基材と同色のレリーフ万線を印刷するためのＹ色レリーフ万線用凹版、Ｍ色レリーフ万線用凹版、Ｃ色レリーフ万線用凹版を作製する。これらの凹版は、夫々色分解画像の有する濃度分布に対応した形状のレリーフ（後述する）を印刷できるような構成に形成する。そして、三色の夫々に対応した三つの凹版により、基材上に基材と同色のインキを用いてレリーフ万線を順次印刷してレリーフ模様の印刷された基材を得る。
【００３４】
凹版印刷で得られるレリーフ模様を構成するレリーフ万線は複数本が一定のピッチで平行に印刷されたものであり、図５によりＭ色のレリーフ万線を例に挙げて説明する。図５（ａ）は、Ｍ色分解画像であるが、同図中の想像線Ｓで囲まれる領域に形成されるレリーフ万線ＭＬの拡大図を図５（ｂ）に示す。このレリーフ万線ＭＬは、基材と同色のインキを用いて凹版印刷により印刷断面が隆起するような構成となっている。レリーフ万線ＭＬには、基線部３３と、その長手方向に沿って複数の凸部３４、３５、３６、３７、３８が形成される。
【００３５】
これらの凸部の形状（長手方向の長さ、凸方向の幅）は、Ｍ色分解画像の濃度領域に対応して異なるように形成される。即ち、凸部３４〜３８の長さは、Ｍ色分解画像の夫々の異なる濃度領域３２の幅（図５（ａ）中横方向の幅）に応じて決められ、凸部３４〜３８の凸方向の幅（凸部の幅。一例として、凸部３４、３７についてｚ、ｚ’として示す。）は、濃度領域３２の夫々の濃度に対応して決められる。濃度が小さいとｚのように小さいし、濃度が大きいとｚ’のように幅を大きく形成する。このように形成したことによる作用は後述するが、凸部の幅により次工程で形成される印刷万線の見える領域の大小が変わり、その濃度が変わる。Ｙ色、Ｃ色についても、同様に、Ｙ色分解画像、Ｃ色分解画像の濃度分布に対応して、凹版が作製される。
【００３６】
（３）三色の印刷万線の印刷工程
三色の分解画像に対応する三色レリーフ万線が形成された基材上に三色の印刷万線ＹＰ、ＭＰ、ＣＰがオフセット印刷により順次印刷される。印刷万線ＹＰ、ＭＰ、ＣＰは、夫々三色のレリーフ万線ＹＬ、ＭＬ、ＣＬに対応し、凸方向に幅の異なる凸部の両側部を横切るように印刷される。これを、Ｍ色についてみれば、図５（ｂ）において、Ｍ色のレリーフ万線ＭＬの基線部３３の矢印Ｘ方向に向かって右側方（図中上方）に沿って印刷万線ＭＰが、凸部３４〜３８の両側部を横切るように印刷される。
【００３７】
実施例３において形成された偽造防止用潜像模様形成体１の作用を説明する。偽造防止用潜像模様形成体１を斜めから観察した場合、即ち、図５（ｂ）に示されるレリーフ万線ＭＬ上の印刷万線ＭＰを、Ｘ方向に向かって左側（図中下側）方向から斜めに観察する。すると、凸部３４のように凸方向への幅ｚが小さいと印刷万線ＭＰがレリーフ万線ＭＬにより遮られる割合が大きく、印刷万線の見える領域３９の面積が小さいから印刷万線ＭＰの色が少ししかみえず色は薄くしか見えない。
【００３８】
逆に凸部３７のように凸方向への幅ｚ’が大きいと、印刷万線ＭＰがレリーフ万線ＭＬで遮られる割合が少なくなり、印刷万線ＭＰの見える領域４０の面積が大きくなり、印刷万線ＭＰの色が多く見えて濃く見えるようになる。又、レリーフ万線ＭＬより右側（図中上方）の領域４１については、レリーフ万線ＭＬにより遮蔽され、Ｍ色は見えなくなる。結局、Ｍ色については、図５（ｃ）に示されるような、濃淡の階調の色となる。
【００３９】
Ｙ色、Ｃ色についても、同様にＹ色分解画像、Ｃ色分解画像の濃度分布に対応して形成されたレリーフ万線の凸部の形状により濃淡の階調を有することとなる。このように、斜めから観察すると、三色の色分解画像の夫々の濃淡の階調に見える色が互いに混色して、図６（ｂ）に示すようなカラー原画像と同様の色調を有する潜像が認識できる。
【００４０】
なお、偽造防止用潜像模様形成体１を正面から観察した場合は、印刷万線ＹＰ、ＭＰ、ＣＰは部分的に欠けて見えるようなことはなく、カラー原画像と同様の色調を有するカラー潜像は視認できない。この場合、レリーフ万線のインキとして基材と同色のインキを利用すれば、偽造防止用潜像模様形成体１を正面から観察した場合にレリーフ万線からなるレリーフ模様を視認することはできないが、レリーフ万線のインキとして例えば薄い着色インキを利用すれば、偽造防止用潜像模様形成体１を正面から観察した場合にその色のレリーフ万線からなるレリーフ模様を全体的に視認することができることになる。しかし、いずれにしろ、図６（ｂ）に示すようなカラー原画像と同様の色調を有する潜像は視認できない。ただし、レリーフ万線のインキとして透明なインキを利用すると、レリーフ万線による遮蔽ないし潜像が見えるという効果は生じなくなるので、透明なインキを用いてレリーフ模様を形成することは好ましくない。
【００４１】
（実施例４）
以上の実施例１〜３はカラーの潜像を生じるものであるが、単色であるが多数の濃淡階調を積極的に付与した潜像に係る偽造防止用潜像模様形成体の構成及びその作製方法を実施例４として以下説明する。その具体的な構成及びその作製方法は、実施例３におけるＭ色について図５で示した構成及び色分解されたＭ色についての濃淡階調を生じるためのレリーフ万線を作製する方法と同じである。以下、濃淡階調を有する単色の潜像の色をＭ色とした場合について、実施例３の説明と重複するが図５を利用して説明する。
【００４２】
図５（ａ）に示すような濃度分布を有するＭ色の原画像（ここではＭ色について説明するが、白黒や他の色でもよい。）３１について、基材と同色のレリーフ万線を印刷するためのＭ色レリーフ万線用凹版を作製する。この凹版は、原画像３１の有する濃度分布に対応した形状のレリーフ（後述する）を印刷できるような構成に形成する。この凹版により、基材上に基材と同色のインキを用いてレリーフ万線を印刷し、レリーフ模様の印刷された基材を得る。
【００４３】
凹版印刷で得られるレリーフ模様を構成する基材と同色のレリーフ万線は複数本が一定のピッチで平行に印刷されたものである。図５（ａ）において、想像線Ｓで囲まれる領域に形成されるレリーフ万線ＭＬの拡大図を図５（ｂ）に示す。このレリーフ万線ＭＬは、基材と同色のインキを用いて凹版印刷により印刷断面が隆起するような構成となっている。レリーフ万線ＭＬには、基線部３３と、その長手方向に沿って複数の凸部３４、３５、３６、３７、３８が形成される。
【００４４】
これらの凸部の形状（長手方向の長さ、凸方向の幅）は、Ｍ色原画像３１の濃度領域に対応して異なるように形成される。即ち、凸部３４〜３８の長さは、Ｍ色分解画像の夫々の異なる濃度領域３２の幅（図５（ａ）中横方向の幅）に応じて決められ、凸部３４〜３８の凸方向の幅（凸部の幅。一例として、凸部３４、３７についてｚ、ｚ’として示す。）は、濃度領域３２の夫々の濃度に対応して決められる。濃度が小さいとｚのように小さいし、濃度が大きいとｚ’のように幅を大きく形成する。このように形成したことによる作用は後述するが、凸部の幅により次工程で形成される印刷万線の見える領域の大小が変わり、その濃度が変わる。
【００４５】
このようなレリーフ万線ＭＬが形成された基材上に印刷万線ＭＰがオフセット印刷により印刷される。印刷万線ＭＰは、レリーフ万線ＭＬに対応し、凸方向に幅の異なる凸部の両側部を横切るように印刷される。図５（ｂ）において、レリーフ万線ＭＬの基線部３３の矢印Ｘ方向に向かって右側方（図中上方）に沿って印刷万線ＭＰが、凸部３４〜３８の両側部を横切るように印刷される。
【００４６】
実施例４において形成された偽造防止用潜像模様形成体１の作用を説明する。偽造防止用潜像模様形成体１を斜めから観察した場合、即ち、図５（ｂ）に示されるレリーフ万線ＭＬ上の印刷万線ＭＰを、Ｘ方向に向かって左側（図中下側）方向から斜めに観察する。すると、凸部３４のように凸方向への幅ｚが小さいと印刷万線ＭＰがレリーフ万線ＭＬにより遮られる割合が大きく、印刷万線の見える領域３９の面積が小さいから印刷万線ＭＰの色が少ししかみえず色は薄くしか見えない。
【００４７】
逆に凸部３７のように凸方向への幅ｚ’が大きいと、印刷万線ＭＰがレリーフ万線ＭＬで遮られる割合が少なくなり、印刷万線ＭＰの見える領域４０の面積が大きくなり、印刷万線ＭＰの色が多く見えて濃く見えるようになる。又、レリーフ万線ＭＬより右側（図中上方）の領域４１については、レリーフ万線ＭＬにより遮蔽され、Ｍ色は見えなくなる。結局、図５（ｃ）に示されるような、Ｍ色（単色）の濃淡階調が得られ、偽造防止用潜像模様形成体１全体についてみれば、原画に対応した濃淡階調を有する潜像が得られる。この濃淡の階調の数を増やすことにより原画の濃淡階調により近似した濃淡階調を有する潜像が得られる。
【００４８】
なお、実施例に示すレリーフ万線の断面形状について、図１、２等では説明の都合上矩形としているが、レリーフ万線の断面は、上記エンボス、凹版印刷、すき入れ等の採用される手段に応じて、矩形に限らず、湾曲状に突出した湾曲断面、あるいは台形、三角形等の多角形、あるいはその他断面形状として適宜形成される。
【００４９】
又、実施例１〜４では、レリーフ万線を凹版印刷で形成しているが、エンボス、すき入れにより形成しても同様の構成の偽造防止用潜像模様形成体を得ることができる。なお、レリーフ万線をエンボスで形成する場合は、レリーフ万線と印刷万線の作製の順序は前後いずれでもよい。即ち、レリーフ万線を凹版印刷する場合は、上記実施例で示したように先にレリーフ万線を作製し後から印刷万線を印刷したが、レリーフ万線をエンボスにより作製する場合は、先に印刷万線を印刷してから後からレリーフ万線をエンボスにより作製してもよい。そして、レリーフ万線をエンボスにより作製する場合は、レリーフ万線用凹版（図３参照。）に相当するものとして、レリーフ万線用のエンボス型を作製し、これを利用してエンボスを行う。
【００５０】
以上、本発明に係る実施例１〜３に基づいて実施の形態を説明したが、上記実施例に限定されることなく特許請求の範囲記載の技術思想の範囲内で、さらにいろいろな実施例があることは言うまでもない。
【００５１】
【発明の効果】
以上のような構成の本発明に係る偽造防止用潜像模様形成体によれば、正面から観察しても認識できないが、斜めから観察すると濃淡の階調を有するカラーの潜像が認識でき、その潜像の有無、その形状、カラー画像の色合い等により、特に真偽判別具等を使用することなくきわめて容易、かつ確実な真偽判別を可能とする。
【００５２】
そして、カラー複写機によりコピーしても、三色の印刷万線はカラーコピーはできてもレリーフ万線の隆起については立体的にコピーすることはできないから、偽造防止用潜像模様形成体を斜めから観察しても、本発明のようにレリーフ万線による遮蔽ないし潜像が見えるという効果は生じず、偽造であることはすぐ判別される。
【００５３】
さらに、本発明では、潜像をカラーとせずに単色であっても、従来のように、単に基材の色と万線模様の単色とのコントラストにより発現する潜像でなく、単色の潜像ながらも多数の濃淡階調を積極的に付与する構成としたので、原画像により近い濃淡状態で潜像を確認可能である。
【００５４】
さらに、レリーフ万線に対して一定かつ精密な位置関係で印刷万線を形成しなくてはならないから、この点からも複製がきわめて困難であり、偽造が容易ではない。
【図面の簡単な説明】
【図１】本発明に係る偽造防止用潜像模様形成体の実施例１の要部の構造を説明する図である。
【図２】本発明に係る偽造防止用潜像模様形成体の実施例２の要部の構造を説明する図である。
【図３】本発明に係る偽造防止用潜像模様形成体の作製方法についての実施例３を説明する図である。
【図４】本発明の実施例３の偽造防止用潜像模様形成体の原画となるカラー原画像を示す図である。
【図５】本発明の実施例３の偽造防止用潜像模様形成体のＭ色分解画像に対応して、凹版印刷された基材と同色のレリーフ万線及びオフセット印刷された印刷万線を示す図であるとともに、単色で多数の濃淡階調を有する潜像を付与した偽造防止用潜像模様形成体（実施例４）の説明に兼用した図である。
【図６】本発明に係る偽造防止用潜像模様形成体の正面及び斜めから観察したときの視認状態を説明する図である。
【符号の説明】
１、２４     偽造防止用潜像模様形成体
２ 基材
３、６、８、３３ 基線部
４、５、７、９、１０、２５、２７    凸部
３０    カラー原画像
３１ Ｍ色分解画像
ＹＬ Ｙ（イエロー）色レリーフ万線
ＭＬ Ｍ（マゼンタ）色レリーフ万線
ＣＬ Ｃ（シアン）色レリーフ万線
ＹＰ Ｙ色印刷万線
ＭＰ Ｍ色印刷万線
ＣＰ Ｃ色印刷万線
【図１】
0004304356.tif 000002
【図２】
0004304356.tif 000003
【図３】
0004304356.tif 000004
【図４】
0004304356.tif 000005
【図５】
0004304356.tif 000006
【図６】
0004304356.tif 000007